(57)【要約】【課題】このような点の解消を課題の一つとし、一つの機構でより精度良く複数の収差を補正することを可能とした液体レンズ、ピックアップ装置、及び収差補正方法等を提供することを目的する。【解決手段】本願は、電極Ａ、電極Ｂ、電極Ａと電極Ｂとを絶縁する絶縁体２１及び一対の窓部を備えた容体によって、内部に第一の液体及び第二の液体が封止されている液体レンズであって、第一の液体及び第二の液体は界面を介して分離された状態で隣接しており、電極Ａと電極Ｂの間に印加される電圧に応じて界面の形状が変化し、電極Ｂは複数に分割され、分割された分割電極は互いに絶縁されている。【選択図】図４
2009037711.tif 000002
【特許請求の範囲】
【請求項１】
第一の電極、第二の電極、第一の電極と第二の電極とを絶縁する絶縁体及び一対の窓部を備えた容体によって、内部に第一の液体及び第二の液体が封止されている液体レンズであって、
前記第一の液体及び第二の液体は界面を介して分離された状態で隣接しており、
前記第一の電極と第二の電極の間に印加される電圧に応じて前記界面の形状が変化し、
前記第二の電極は複数に分割され、前記分割された分割電極は互いに絶縁されていることを特徴とする液体レンズ。
【請求項２】
請求項１に記載の液体レンズを備えたことを特徴とするピックアップ装置。
【請求項３】
請求項２に記載のピックアップ装置を備え、当該ピックアップ装置により、光学式記録媒体から読み取られた信号を処理する情報処理装置であって、
前記液体レンズにおける夫々の前記分割電極と前記第一の電極との間に印加する電圧を制御することにより収差を補正する補正手段を備えることを特徴とする情報処理装置。
【請求項４】
請求項２に記載のピックアップ装置を用いて収差を補正する収差補正方法であって、
前記液体レンズにおける夫々の前記分割電極と前記第一の電極との間に印加する電圧を制御することにより収差を補正することを特徴とする収差補正方法。
【請求項５】
請求項２に記載のピックアップ装置を備え、当該ピックアップ装置により、光学式記録媒体から読み取られた信号を処理するコンピュータを、
前記液体レンズにおける夫々の前記分割電極と前記第一の電極との間に印加する電圧を制御することにより収差を補正する補正手段として機能させることを特徴とする収差補正プログラム。
【請求項６】
請求項５に記載の収差補正プログラムがコンピュータ読み取り可能に記録されていることを特徴とする記録媒体。
【発明の詳細な説明】
【技術分野】
【０００１】
本願は、光ピックアップを備える情報再生装置等の技術分野に関する。
【背景技術】
【０００２】
従来から、光ピックアップを備える情報再生装置において、収差の補正は極めて重要な技術的課題である。このような収差の種類として、球面収差、コマ収差、非点収差等が知られている。
【０００３】
例えば、球面収差の補正については、特許文献１に開示されるように、コリメータレンズを移動させることにより行うことができる。また、コマ収差の補正については、例えば対物レンズが搭載されたアクチュエータの傾きを調整することにより行うことができる。
【０００４】
更に、特許文献２には、液晶素子を用いて球面収差とコマ収差の双方を補正する方法が提案されている。
【特許文献１】特開２００７−０２６６１６号公報
【特許文献２】特許第３８８５９２１号
【発明の開示】
【発明が解決しようとする課題】
【０００５】
しかしながら、特許文献２に開示された液晶素子では球面収差の補正量に限界があるので、複数の層における層間の間隔が広く、ＮＡ（開口数）の大きい対物レンズを使用する、例えばＢｌｕ−ｒａｙの２層ディスク再生時に生じる球面収差を補正することは困難であった。また、他の従来の技術において球面収差とコマ収差の双方を補正するためには、夫々の補正を担う機構が必要となり、一つの機構でより精度良く球面収差とコマ収差の双方を補正することが困難であった。
【０００６】
そこで、本願は、このような点の解消を課題の一つとし、一つの機構でより精度良く複数の収差を補正することを可能とした液体レンズ、ピックアップ装置、及び収差補正方法等を提供することを目的する。
【課題を解決するための手段】
【０００７】
上記課題を解決するため、請求項１に記載の液体レンズの発明は、第一の電極、第二の電極、第一の電極と第二の電極とを絶縁する絶縁体及び一対の窓部を備えた容体によって、内部に第一の液体及び第二の液体が封止されている液体レンズであって、前記第一の液体及び第二の液体は界面を介して分離された状態で隣接しており、前記第一の電極と第二の電極の間に印加される電圧に応じて前記界面の形状が変化し、前記第二の電極は複数に分割され、前記分割された分割電極は互いに絶縁されていることを特徴とする。
【０００８】
請求項２に記載のピックアップ装置の発明は、請求項１に記載の液体レンズを備えたことを特徴とする。
【０００９】
請求項３に記載の情報処理装置の発明は、請求項２に記載のピックアップ装置を備え、当該ピックアップ装置により、光学式記録媒体から読み取られた信号を処理する情報処理装置であって、前記液体レンズにおける夫々の前記分割電極と前記第一の電極との間に印加する電圧を制御することにより収差を補正する補正手段を備えることを特徴とする。
【００１０】
請求項４に記載の収差補正方法の発明は、請求項２に記載のピックアップ装置を用いて収差を補正する収差補正方法であって、前記液体レンズにおける夫々の前記分割電極と前記第一の電極との間に印加する電圧を制御することにより収差を補正することを特徴とする。
【００１１】
請求項５に記載の収差補正プログラムの発明は、請求項２に記載のピックアップ装置を備え、当該ピックアップ装置により、光学式記録媒体から読み取られた信号を処理するコンピュータを、前記液体レンズにおける夫々の前記分割電極と前記第一の電極との間に印加する電圧を制御することにより収差を補正する補正手段として機能させることを特徴とする。
【発明を実施するための最良の形態】
【００１２】
以下、本願の最良の実施形態を添付図面に基づいて説明する。なお、以下に説明する実施の形態は、光学式記録媒体の一例としての光ディスクＤに記録された情報を再生する情報再生装置に対して本願を適用した場合の実施形態である。なお、光ディスクの再生又は記録を可能とした情報再生記録装置に対して適用しても良い。
【００１３】
先ず、図１等を参照して、本実施形態に係る情報再生装置の構成及び機能を説明する。
【００１４】
図１は、本実施形態に係る情報再生装置の概要構成例を示す図である。
【００１５】
図１に示すように、情報再生装置Ｓは、光ピックアップ（ピックアップ装置）１、再生処理部２、外部出力処理部３、及び制御部４等を備えて構成されている。
【００１６】
なお、情報再生装置Ｓにおける所定位置に載置された光ディスクＤを回転駆動させるスピンドルモータ、光ピックアップ１を光ディスクＤにおける所定の読取位置まで移動させるキャリッジ、レーザダイオードのレーザ光の強度を制御するレーザ駆動回路、及びスピンドルモータ，キャリッジ及び光ピックアップ１におけるアクチュエータをサーボ制御するサーボ制御回路については図示を省略している。また、本実施形態では、光ディスクＤの例として、ＣＤ、ＤＶＤ、又はＢｌｕ−ｒａｙを想定している。
【００１７】
光ピックアップ１は、光ディスクＤにレーザ光を照射し、その照射光に対する反射光を受光することにより信号を読み取るようになっている。
【００１８】
より具体的に、光ピックアップ１は、対物レンズ１１、光ディスクＤに適した波長のレーザ光を出射するレーザダイオード１２、コリメータレンズ１３、ビームスプリッタ１４、マルチレンズ１５、受光素子１６、及び液体レンズ（電極分割液体レンズ）２０等を備えて構成されている。
【００１９】
このような光ピックアップ１の構成において、レーザダイオード１２からレーザ光が出射された場合、その光はビームスプリッタ１４により反射されて、液体レンズ２０を透過し、コリメータレンズ１３により略平行光にされ、対物レンズ１１に入射される。そして、対物レンズ１１に入射された光は、光ディスクＤの記録面に集光される。
【００２０】
また、光ディスクＤから反射された反射光は、ビームスプリッタ１４を透過し、マルチレンズ１５を介して、受光素子１６により受光される。そして、受光された光の強度に応じたＲＦ（Radio Frequency）信号がＲＦアンプ（図示せず）によって所定のレベルまで増幅され再生処理部２に出力されることになる。
【００２１】
ここで、図２を参照して、液体レンズ２０の構造について説明する。
【００２２】
図２は、液体レンズ２０を横から見た構造の一例を示す図である。図２の例では、液体レンズ２０は、第一の電極の一例としての電極Ａと、第二の電極の一例としての電極Ｂと、電極Ａと電極Ｂとを絶縁する絶縁体２１、一対の透明な窓部（例えばガラスからなる）２２，２３、第一の液体２４及び第二の液体２５等を備えて構成されており、電極Ａ、電極Ｂ、絶縁体２１、及び一対の窓部２２，２３からなる容体によって、内部に第一の液体２４及び第二の液体２５が封止されている。なお、電極Ａと電極Ｂは円形で中心軸から同心円状に孔部を有している。
【００２３】
第一の液体２４と第二の液体２５は、界面Ｋを介して分離された状態で隣接している。第一の液体２４としては、例えば導電性を有する水溶液を適用でき、第二の液体２５としては、例えば絶縁性のオイルを適用できる。また、電極Ａの絶縁体２１側の表面は第一の液体２４に接している。また、電極Ｂの絶縁体２１側の表面は薄い絶縁物質２６で覆われ（コーティング）ており、絶縁物質２６は第一の液体２４及び第二の液体２５の双方に接している。
【００２４】
そして、電極Ａと電極Ｂ間に印加する電圧（電極Ａと電極Ｂ間の電位差）を制御することにより、界面Ｋの形状が変化するようになっている。
【００２５】
更に、電極Ｂは、複数に分割され、分割された分割電極は互いに絶縁されている。
【００２６】
図３は、電極Ｂを第一の液体２４側から見た構造の一例を示す図である。図３の例では、電極Ｂは、絶縁体２７により複数に分割されることにより、８つ（８等分）の分割電極Ｂ−１，Ｂ−２，Ｂ−３，Ｂ−４，Ｂ−５，Ｂ−６，Ｂ−７，及びＢ−８が形成されている。このように電極Ｂを８つに分割することにより、後述するように、印加電圧を制御して効率よく収差を補正することができる。
【００２７】
なお、図３に示すような電極Ｂは、射出成形で形状を成形し、その表面に電気回路を形成する例えば三次元射出成形回路部品技術（ＭＩＤ）により作成することができる。
【００２８】
図４は、各分割電極Ｂ１〜Ｂ８と電極Ａ間に印加される電圧例を示す図である。図４に示すように、分割電極Ｂ−１〜分割電極Ｂ−８と電極Ａ間には個別に電圧Ｖ１〜Ｖ８を印加することができる。なお、以下の説明において、図４に示すように、電極Ｂの中心軸を中心として、分割電極Ｂ−１の中央部を通る方向を０度（°）方向（ＴＡＮ＋方向）、分割電極Ｂ−３の中央部を通る方向を９０度方向（ＲＡＤ＋方向）、分割電極Ｂ−５の中央部を通る方向を180度方向（ＴＡＮ−方向）、分割電極Ｂ−７の中央部を通る方向を２７０度方向（ＲＡＤ−方向）と定義する。
【００２９】
次に、再生処理部２は、光ピックアップ１からのＲＦ信号に対して所定の復調処理、誤り訂正処理、及びデコード処理等を施してディジタル信号（オーディオ信号及びビデオ信号等）に変換し、当該ディジタル信号を外部出力処理部３に出力する。外部出力処理部３は、再生処理部２からのディジタル信号に係るオーディオ信号をスピーカに出力、及びディジタル信号に係るビデオ信号をディスプレイに出力するための処理を行う。なお、かかる処理については公知であるので詳しい説明を省略する。また、再生処理部２は、ＲＦ信号から得られる情報（例えば、ＲＦレベル）を制御部４に出力するようになっている。
【００３０】
制御部４は、ＣＰＵ，各種データ及びプログラムを記憶するＲＯＭ，作業用ＲＡＭ等を備えて構成されており、ＣＰＵが上記プログラムを実行することにより、情報再生装置Ｓ全体を統括制御しつつ、本願の補正手段として機能するようになっている。補正手段としての制御部４は、例えば、光ディスクＤの再生制御を行い、光ピックアップ１により読み取られた信号から得られるパラメータ値としてのＲＦレベルやジッター等が最良（例えば、ＲＦレベルの場合その値が極値（例えば最大）、ジッターの場合その値が極値（例えば最小））となるように（つまり、光ピックアップ１の性能が最良）、液体レンズ２０における夫々の分割電極Ｂ−１〜Ｂ−８と電極Ａとの間に印加する電圧を制御することにより収差（球面収差、コマ収差、及び非点収差）を補正するようになっている。
【００３１】
以下、球面収差、コマ収差、及び非点収差の補正方法について具体的に説明する。
【００３２】
（球面収差の補正方法）
先ず、図５及び図６を参照して、球面収差の補正方法について説明する。なお、球面収差の補正においては、電極Ｂにおける夫々の分割電極には同じ電圧が印加される。
【００３３】
図５は、液体レンズ２０における界面Ｋの形状の変化に伴って対物レンズ１１への入射光の光路が変化する様子を示す図である。図６は、ＲＦ及びジッターと、印加電圧との関係を示す図である。
【００３４】
図５の例では、液体レンズ２０の焦点距離を変化させ、対物レンズ１１に入射する光を、（Ａ）発散、（Ｂ）平行、（Ｃ）集光に変化させており、この過程で、例えば多層ディスクの層間ジャンプ等、光ディスクの厚さ変化による球面収差を補正（打ち消す）することができる。
【００３５】
図５における（Ａ）発散では、電極Ａと電極Ｂ間に電圧は印加されておらず（電圧０）、この場合の界面Ｋは、対物レンズ１１に向かって凹形状となっている（凹レンズに相当）。図５における（Ｂ）平行では、電極Ａと電極Ｂ間には小さい（低い）電圧Ｖlが印加されており、この場合の界面Ｋは、光軸と直交する直線状となっている（板ガラスに相当）。図５における（Ｃ）集光では、電極Ａと電極Ｂ間には大きい（高い）電圧Ｖh（＞Ｖl）が印加されており、この場合の界面Ｋは、対物レンズ１１に向かって凸形状となっている（凸レンズに相当）。
【００３６】
より詳しくは、制御部４は、光ピックアップ１により読み取られた信号から得られるＲＦレベル、ジッター等をモニターしつつ、夫々の分割電極Ｂ−１〜Ｂ−８と電極Ａとの間に印加する電圧（球面収差補正電圧）を同様に変化させ、例えば図６に示すように、ＲＦレベルが最大、又はジッターが最小等になる電圧値（ＥＶＳ）を求める。そして、当該求められた電圧値（ＥＶＳ）を、製造工程において当該電圧値（ＥＶＳ）を求めたときに用いられた光ディスク（例えば、ＤＶＤ）と同タイプの光ディスクを用いて再生又は記録する場合のデフォルト値として製品（光ピックアップ１又は情報再生装置Ｓ）に搭載されたＲＯＭに記憶しておく。そして、同タイプの光ディスクから情報を再生又は情報を記録する場合、制御部４は、先ずＲＯＭから上記デフォルト値を読み出しその電圧を、夫々の分割電極Ｂ−１〜Ｂ−８と電極Ａとの間に印加し、必要に応じて例えば温度変化による球面収差を更に補正するために、そのデフォルト値を基に更に電圧を変動させ、ジッター又はＲＦレベルにより最良点を最調整することにより、より短時間に安定した状態に調整することができる。また、ＲＦレベルやジッター以外のパラメータ値を適用しても良い。
【００３７】
（コマ収差の補正方法）
次に、図７乃至図９を参照して、コマ収差の補正方法について説明する。
【００３８】
図７（Ａ）は、発生したコマ収差の方向と、当該コマ収差を打ち消すコマ収差の方向を示す図であり、図７（Ｂ）は、コマ収差を強制的に発生させる様子を示す図である。図８（Ａ）〜（Ｃ）は、コマ収差を打ち消すための印加電圧例を示す図である。図９は、球面収差とコマ収差を打ち消すための印加電圧例を示すである。
【００３９】
コマ収差は、例えば光ディスクＤの傾きや対物レンズ１１の傾き等により生じ、これを打ち消すためには、図７（Ａ）に示すように、発生したコマ収差と１８０度対向する方向に強制的にコマ収差を発生させれば良い。例えば、図７（Ｂ）に示すように、分割電極Ｂ−１と電極Ａ間に電圧Ｖ＋αを印加し、且つ、分割電極Ｂ−５（分割電極Ｂ−１に対して１８０度方向に位置）と電極Ａ間に電圧Ｖを印加することを考えると、電圧α（つまり、分割電極Ｂ−１と分割電極Ｂ−５との差電圧）が“０”のときは、分割電極Ｂ−１側と分割電極Ｂ−５側の相対する領域を通過した光が同じポイントＸに集光することになるが、電圧αを大きくしていくと、集光ポイントのずれＹが大きくなっていく、つまり、コマ収差が発生することになる。
【００４０】
より詳しくは、制御部４は、例えば、先ず、図４に示す０度方向（ＴＡＮ方向）のコマ収差を打ち消すために、図８（Ａ）に示すように、０度方向に位置する分割電極Ｂ−１（基準となる分割電極の一例）と電極Ａ間に電圧Ｖを印加し、分割電極Ｂ−１に対して１８０度方向に位置する分割電極Ｂ−５と電極Ａ間に電圧−Ｖを印加し、Ｖを変化させてＲＦレベルが最大、又はジッターが最小等になる電圧値（ＥＶＣ１）を求め、分割電極Ｂ−１と電極Ａ間に電圧ＥＶＣ１を、分割電極Ｂ−５と電極Ａ間に電圧−ＥＶＣ１を夫々印加する。
【００４１】
次に、制御部４は、図４に示す９０度方向（ＲＡＤ方向）のコマ収差を打ち消すために、９０度方向に位置する分割電極Ｂ−３（基準となる分割電極の一例）と電極Ａ間に電圧Ｖを印加し、分割電極Ｂ−３に対して１８０度方向に位置する分割電極Ｂ−７と電極Ａ間に電圧−Ｖを印加し、その電圧Ｖを変化させてＲＦレベルが最大、又はジッターが最小等になる電圧値（ＥＶＣ３）を求め、分割電極Ｂ−３と電極Ａ間に電圧ＥＶＣ３を、分割電極Ｂ−７と電極Ａ間に電圧−ＥＶＣ３を夫々印加する。
【００４２】
その後、必要に応じ、制御部４は、図４に示す＋４５度のコマ収差を打ち消すために、＋４５度方向に位置する分割電極Ｂ−２（基準となる分割電極の一例）と電極Ａ間に電圧Ｖを印加し、分割電極Ｂ−２に対して１８０度方向に位置する分割電極Ｂ−６と電極Ａ間に電圧−Ｖを印加し、その電圧Ｖを変化させてＲＦレベルが最大、又はジッターが最小等になる電圧値（ＥＶＣ２）を求め、分割電極Ｂ−２と電極Ａ間に電圧ＥＶＣ２を、分割電極Ｂ−６と電極Ａ間に電圧−ＥＶＣ２を夫々印加する。
【００４３】
更に、必要に応じ、制御部４は、図４に示す−４５度のコマ収差を打ち消すために、−４５度方向に位置する分割電極Ｂ−４（基準となる分割電極の一例）と電極Ａ間に電圧Ｖを印加し、分割電極Ｂ−４に対して１８０度方向に位置する分割電極Ｂ−８と電極Ａ間に電圧−Ｖを印加し、その電圧Ｖを変化させてＲＦレベルが最大、又はジッターが最小等になる電圧値（ＥＶＣ４）を求め、分割電極Ｂ−４と電極Ａ間に電圧ＥＶＣ４を、分割電極Ｂ−８と電極Ａ間に電圧−ＥＶＣ４を夫々印加する。
【００４４】
以上のようにして、所定方向に生じたコマ収差を打ち消すことができる。
【００４５】
なお、光の波面全体の波面を制御するため、図８（Ｂ）に示すように、分割電極の全体的に（同時に）電圧を印加するようにしても良い。図８（Ｂ）の例では、分割電極Ｂ−１と電極Ａ間に電圧ＥＶＣ１が印加され、分割電極Ｂ−５と電極Ａ間に電圧−ＥＶＣ１が印加され、分割電極Ｂ−２と電極Ａ間及び分割電極Ｂ−８と電極Ａ間に電圧ＥＶＣ２（ＥＶＣ１より小さい電圧）が印加され、分割電極Ｂ−４と電極Ａ間及び分割電極Ｂ−６と電極Ａ間に電圧−ＥＶＣ２が印加され、分割電極Ｂ−３と電極Ａ間及び分割電極Ｂ−７と電極Ａ間に電圧ＥＶＣ３（０Ｖ）が印加されている。
【００４６】
また、図８（Ｃ）に示すように、コマ収差が発生した方向のみの分割電極で印加電圧を制御するようにしても良い。図８（Ｃ）の例では、分割電極Ｂ−１と電極Ａ間に電圧ＥＶＣ１が印加され、その他の分割電極と電極Ａ間は０Ｖになっている。
【００４７】
また、球面収差とコマ収差を同時に打ち消すために、図９に示すように印加電圧を制御することもできる。なお、コマ収差を補正する場合、先ず球面収差を補正した後に行うと更に精度を向上させることができる。
【００４８】
（非点収差の補正方法）
次に、図１０乃至図１２を参照して、非点収差の補正方法について説明する。
【００４９】
図１０（Ａ）は、発生した非点収差の方向と、当該非点収差を打ち消す非点収差の方向を示す図であり、図１０（Ｂ），（Ｃ）は、非点収差を強制的に発生させる様子を示す図である。図１１（Ａ），（Ｂ）は、非点収差を打ち消すための印加電圧例を示す図である。図１２は、球面収差とコマ収差と非点収差を打ち消すための印加電圧例を示すである。
【００５０】
例えばレーザダイオード１２や対物レンズ１１等の持つ非点収差を打ち消すためには、図１０（Ａ）に示すように、発生した非点収差に対して９０度する方向に強制的に非点収差を発生させれば良い。例えば、非点収差が無い場合において、図１０（Ｃ）に示すように、分割電極Ｂ−３（分割電極Ｂ−１に対して９０度方向に位置）と電極Ａ間に電圧Ｖ＋αを印加し、且つ、分割電極Ｂ−７（分割電極Ｂ−１に対して９０度方向に位置）と電極Ａ間に電圧Ｖ＋αを印加することを考えると、電圧α（つまり、分割電極Ｂ−１と分割電極Ｂ−３（又は分割電極Ｂ−７）との差電圧）が“０”のときは、図１０（Ｂ）に示す０−１８０度断面の光と同じポイントＸに集光することになるが、電圧αを大きくしていくと、集光ポイントのずれＹが大きくなっていく、つまり、非点収差が発生することになる。すなわち、非点収差を発生させたい方向の分割電極とこれと相対（対向）する分割電極がピークとなるような電圧を印加する（非点収差の定義方法等で打ち消すための電圧の極性が変化するので、分割電極の電圧はその極性に応じて変化させる必要がある）。
【００５１】
より詳しくは、制御部４は、例えば、先ず、図４に示す０度方向の非点収差を打ち消すために、図１１（Ａ）に示すように、０度方向に位置する分割電極Ｂ−１（基準となる分割電極の一例）及び分割電極Ｂ−５の夫々と電極Ａ間に電圧Ｖを印加し、分割電極Ｂ−１に対して９０度方向に位置する分割電極Ｂ−３及び分割電極Ｂ−７の夫々と電極Ａ間に電圧−Ｖを印加し、その電圧Ｖを変化させてＲＦレベルが最大、又はジッターが最小等になる電圧値（ＥＶＡ１）を求め、分割電極Ｂ−１及び分割電極Ｂ−５の夫々と電極Ａ間に電圧ＥＶＡ１を印加し、分割電極Ｂ−３及び分割電極Ｂ−７の夫々と電極Ａ間に電圧−ＥＶＡ１を印加する。
【００５２】
その次に、図４に示す４５度方向の非点収差を打ち消すために、４５度方向に位置する分割電極Ｂ−２（基準となる分割電極の一例）及び分割電極Ｂ−６の夫々と電極Ａ間に電圧Ｖを印加し、分割電極Ｂ−２に対して９０度方向に位置する分割電極Ｂ−４及び分割電極Ｂ−８の夫々と電極Ａ間に電圧−Ｖを印加し、その電圧Ｖを変化させてＲＦレベルが最大、又はジッターが最小等になる電圧値（ＥＶＡ２）を求め、分割電極Ｂ−２及び分割電極Ｂ−６の夫々と電極Ａ間に電圧ＥＶＡ２を印加し、分割電極Ｂ−４及び分割電極Ｂ−８の夫々と電極Ａ間に電圧−ＥＶＡ２を印加する。
【００５３】
以上のようにして、所定方向に生じた非点収差を打ち消すことができる。
【００５４】
なお、図１１（Ｂ）に示すように、非点収差の方向のみの分割電極で印加電圧を制御するようにしても良い。
【００５５】
また、非点収差は、光ディスク要因による影響が小さいため、光ピックアップ１又は情報再生装置Ｓ等の製品の製造工程において、性能が最良になる電圧値を決めてその値をＲＯＭに記憶しておき、動作時には、その電圧値を印加するだけで効果が得られる。しかし、温度による光学部品のゆがみ等による非点収差変化もあるので、セットアップ時のＲＯＭに記憶された値を中心として、更に電圧を変化させ、ＲＦレベルが最大、又はジッターが最小等の光ピックアップ性能が最良となるように調整することも可能である。
【００５６】
また、球面収差とコマ収差と非点収差を同時に打ち消すために、図１２に示すように印加電圧を制御することもできる。
【００５７】
以上説明したように、上記実施形態によれば、電極Ａ、電極Ｂ、電極Ａと電極Ｂとを絶縁する絶縁体２１及び一対の窓部２２，２３を備えた容体によって、内部に第一の液体２４及び第二の液体２５が封止されている液体レンズ２０であって、第一の液体２４及び第二の液体２５は界面Ｋを介して分離された状態で隣接しており、電極Ａと電極Ｂの間に印加される電圧に応じて界面Ｋの形状が変化し、電極Ｂは複数に分割され、分割された分割電極は互いに絶縁されている液体レンズ２０を用いて、当該液体レンズ２０における夫々の分割電極と電極Ａとの間に印加する電圧を上述したように制御することにより収差を補正するように構成したので、一つの機構でより精度良く複数の収差（例えば、球面収差、コマ収差、非点収差）を簡単に補正することができる。従って、部品点数が少なく、小型化が可能で、コスト的にも有利である。また、ＮＡ（開口数）の大きい対物レンズを使用する、例えばＢｌｕ−ｒａｙの２層ディスク再生時に生じる球面収差の補正の幅を向上させることができるようになった。
【００５８】
なお、上記実施形態においては、液体レンズ２０における電極Ｂは８分割される例を示したが、他の例として、当該電極Ｂを４分割、１２分割、１６分割等しても良い。
【００５９】
また、上記実施形態においては、光ピックアップ１に対して本願の液体レンズを適用した場合を例にとって説明したが、収差補正が必要なその他の機器に対しても本願の液体レンズを適用可能である。
【図面の簡単な説明】
【００６０】
【図１】本実施形態に係る情報再生装置の概要構成例を示す図である。
【図２】液体レンズ２０を横から見た構造の一例を示す図である。
【図３】電極Ｂを第一の液体２４側から見た構造の一例を示す図である。
【図４】各分割電極Ｂ１〜Ｂ８と電極Ａ間に印加される電圧例を示す図である。
【図５】液体レンズ２０における界面Ｋの形状の変化に伴って対物レンズ１１への入射光の光路が変化する様子を示す図である。
【図６】ＲＦ及びジッターと、印加電圧との関係を示す図である。
【図７】（Ａ）は、発生したコマ収差の方向と、当該コマ収差を打ち消すコマ収差の方向を示す図であり、（Ｂ）は、コマ収差を強制的に発生させる様子を示す図である。
【図８】コマ収差を打ち消すための印加電圧例を示す図である。
【図９】球面収差とコマ収差を打ち消すための印加電圧例を示すである。
【図１０】（Ａ）は、発生した非点収差の方向と、当該非点収差を打ち消す非点収差の方向を示す図であり、（Ｂ），（Ｃ）は、非点収差を強制的に発生させる様子を示す図である。
【図１１】非点収差を打ち消すための印加電圧例を示す図である。
【図１２】球面収差とコマ収差と非点収差を打ち消すための印加電圧例を示すである。
【符号の説明】
【００６１】
１  光ピックアップ
２  再生処理部
３  外部出力処理部
４  制御部
１１  対物レンズ
１２  レーザダイオード
１３  コリメータレンズ
１４  ビームスプリッタ
１５  マルチレンズ
１６  受光素子
２０  液体レンズ
Ｓ  情報再生装置
【図１】
2009037711.tif 000003
【図３】
2009037711.tif 000004
【図４】
2009037711.tif 000005
【図６】
2009037711.tif 000006
【図７】
2009037711.tif 000007
【図８】
2009037711.tif 000008
【図９】
2009037711.tif 000009
【図１０】
2009037711.tif 000010
【図１１】
2009037711.tif 000011
【図１２】
2009037711.tif 000012
【図２】
2009037711.tif 000013
【図５】
2009037711.tif 000014